(57)【要約】【課題】一般家庭でも取り扱い容易な電解水の生成方法及び電解水生成装置を提供する。【解決手段】イオン透過性の隔膜２を介して対向配置された第１の電解室３ａに電解質水溶液を循環させ、第２の電解室３ｂのみに原水を供給する。電極７ａ，７ｂに電圧を印加して電解し、電解室３ｂで生成した電解水を取り出す。電解室３ａに循環される電解質水溶液の濃度を所定の範囲に維持する。隔膜２は陰イオン交換膜であり、陰極側電解室３ａに電解質水溶液を循環させると共に、陽極側電解室３ｂのみに原水を供給し、陽極側電解室３ａで生成した酸性の電解水を取り出す。前記電解質水溶液はＮａＣｌ水溶液またはＫＣｌ水溶液であり、塩酸を添加することにより、濃度を所定の範囲に維持する。前記ＮａＣｌ水溶液またはＫＣｌ水溶液のｐＨまたは、前記電解の際の通電量から算出される該ＮａＣｌ水溶液またはＫＣｌ水溶液の反応量に応じて、塩酸を添加する。【選択図】  図１
2008049317.tif 000002
【特許請求の範囲】
【請求項１】
イオン透過性の隔膜を介して対向配置された１対の電解室の第１の電解室に電解質水溶液を循環させると共に、第２の電解室のみに原水を供給し、該隔膜を挟んで各電解室に設けられた１対の電極に電圧を印加して該原水及び電解質水溶液を電解することにより、第２の電解室で生成した電解水を取り出す電解水の生成方法において、
第１の電解室に循環される該電解質水溶液の濃度を所定の範囲に維持することを特徴とする電解水の生成方法。
【請求項２】
請求項１記載の電解水の生成方法において、前記隔膜は陰イオン交換膜であり、陰極側電解室に電解質水溶液を循環させると共に、陽極側電解室のみに原水を供給し、該陽極側電解室で生成した酸性の電解水を取り出すことをことを特徴とする電解水の生成方法。
【請求項３】
請求項２記載の電解水の生成方法において、前記電解質水溶液は塩化ナトリウム水溶液または塩化カリウム水溶液であり、該塩化ナトリウム水溶液または塩化カリウム水溶液に塩酸を添加することにより、該塩化ナトリウム水溶液または塩化カリウム水溶液の濃度を所定の範囲に維持することを特徴とする電解水の生成方法。
【請求項４】
請求項３記載の電解水の生成方法において、前記塩化ナトリウム水溶液または塩化カリウム水溶液のｐＨを測定し、得られた測定値が所定の基準値よりも大きいときには、該塩化ナトリウム水溶液または塩化カリウム水溶液に塩酸を添加して該塩化ナトリウム水溶液または塩化カリウム水溶液のｐＨが該基準値より小さくなるようにすることにより、該塩化ナトリウム水溶液または塩化カリウム水溶液の濃度を所定の範囲に維持することを特徴とする電解水の生成方法。
【請求項５】
請求項３記載の電解水の生成方法において、前記電解の際の通電量から前記塩化ナトリウム水溶液または塩化カリウム水溶液の反応量を算出し、算出された反応量に応じて該塩化ナトリウム水溶液または塩化カリウム水溶液に塩酸を添加することにより、該塩化ナトリウム水溶液または塩化カリウム水溶液の濃度を所定の範囲に維持することを特徴とする電解水の生成方法。
【請求項６】
請求項１記載の電解水の生成方法において、前記隔膜は陰イオン交換膜であり、陽極側電解室に電解質水溶液を循環させると共に、陰極側電解室のみに原水を供給し、該陰極側電解室で生成したアルカリ性の電解水を取り出すことを特徴とする電解水の生成方法。
【請求項７】
請求項１記載の電解水の生成方法において、前記隔膜は陽イオン交換膜であり、陽極側電解室に電解質水溶液を循環させると共に、陰極側電解室のみに原水を供給し、該陰極側電解室で生成したアルカリ性の電解水を取り出すことをことを特徴とする電解水の生成方法。
【請求項８】
イオン透過性の隔膜を介して対向配置された１対の電解室と、第１の電解室に電解質水溶液を循環させる電解質水溶液循環手段と、第２の電解室のみに原水を供給する原水供給手段と、該隔膜を挟んで各電解室に設けられた１対の電極と、両電極に電圧を印加して該原水及び電解質水溶液を電解することにより、第２の電解室で生成した電解水を取り出す電解水取出手段とを備える電解水生成装置において、
前記電解質水溶液循環手段は、第１の電解室に循環される該電解質水溶液の濃度を所定の範囲に維持する濃度維持手段を備えることを特徴とする電解水生成装置。
【請求項９】
請求項８記載の電解水生成装置において、前記隔膜は陰イオン交換膜であり、陰極側電解室に電解質水溶液を循環させる電解質水溶液循環手段と、陽極側電解室のみに原水を供給する原水供給手段と、該陽極側電解室で生成した酸性の電解水を取り出す電解水取出手段とを備えることを特徴とする電解水生成装置。
【発明の詳細な説明】
【技術分野】
【０００１】
本発明は、酸性またはアルカリ性の電解水を生成する方法及びそれに用いる電解水生成装置に関する。
【背景技術】
【０００２】
従来、陰イオン透過膜等のイオン透過性隔膜を介して対向配置された１対の電解室にそれぞれ電極を配設し、各電解室にそれぞれ原水を供給すると共に、両電極間に電圧を印加して、各電解室に供給された原水を電解する電解水の生成方法が知られている。前記従来の方法によれば、前記原水に塩化ナトリウム等の塩化物を電解質として添加しておくことにより、陽極側の電解室からは次亜塩素酸を含む酸性の電解水を得ることができ、陰極側の電解室からはアルカリ性の電解水を得ることができる。
【０００３】
前記酸性の電解水は、前記次亜塩素酸の酸化力等により優れた殺菌性を示し、医療機関等における消毒等の用途に用いられる。また、前記アルカリ性の電解水は、洗浄等の用途に用いられる。ところが、前記酸性の電解水と前記アルカリ性の電解水とを同時に必要とする用途は少なく、一般には、酸性またはアルカリ性の一方の電解水のみが使用され、他方の電解水は捨て水となる。この場合、原水の半量が捨て水となるので、省資源の面で問題である。
【０００４】
前記問題を解決するために、一方の電解室のみに前記原水を供給し、他方の電解室には電解質を含む水溶液（以下、電解質水溶液と略記する）を循環させて、該原水及び電解質水溶液の電解を行い、該原水が供給される側の電解室で生成する電解水を取り出す電解水の生成方法が提案されている（例えば特許文献１参照）。
【０００５】
特許文献１記載の方法では、例えば酸性の電解水を必要とするときには、前記原水が供給される側の電解室に配設された電極を陽極とし、前記電解質水溶液が循環される側の電解室に配設された電極を陰極として電解を行う。この結果、前記原水が供給される側（陽極側）の電解室では、酸性の電解水が生成し、該電解水が該電解室から取出される。このとき、他方の電解室ではアルカリ性の電解水が生成するが、該電解水は前記電解質水溶液と共に循環されるので、捨て水とされることなく、資源を有効に利用することができる。
【０００６】
また、特許文献１記載の方法では、前記電解質水溶液はカートリッジ式の容器と前記電解室との間を循環するようにされており、所定時間経過後には該容器内の該電解質水溶液を酢酸等で中和して廃棄するようにされている。
【０００７】
しかしながら、前記電解質水溶液は、循環される時間が長くなるほど強アルカリ性を呈するので、前記酢酸等による中和は十分な管理が必要な作業であると共に、作業自体にも時間がかかるという不都合がある。
【特許文献１】特開平９−２２０５７２号公報
【発明の開示】
【発明が解決しようとする課題】
【０００８】
本発明は、かかる不都合を解消して、例えば一般家庭等においても取り扱い容易な電解水の生成方法及びそれに用いる電解水生成装置を提供することを目的とする。
【課題を解決するための手段】
【０００９】
かかる目的を達成するために、本発明は、イオン透過性の隔膜を介して対向配置された１対の電解室の第１の電解室に電解質水溶液を循環させると共に、第２の電解室のみに原水を供給し、該隔膜を挟んで各電解室に設けられた１対の電極に電圧を印加して該原水及び電解質水溶液を電解することにより、第２の電解室で生成した電解水を取り出す電解水の生成方法において、第１の電解室に循環される該電解質水溶液の濃度を所定の範囲に維持することを特徴とする。
【００１０】
本発明の電解水の生成方法では、前記１対の電解室のうち、第２の電解室に配設された電極の極性に対応して、第２の電解室に酸性またはアルカリ性の電解水が生成する。そこで、第２の電解室から前記電解水を取出し、該電解水の液性に対応する用途に利用される。
【００１１】
一方、第１の電解室では、第２の電解室と反対の液性の電解水が生成するが、該電解水は前記電解質水溶液と共に前記第１の電解室に循環されるので、捨て水とされることがなく、資源を有効に利用することができる。このとき、前記電解質水溶液は、循環を繰り返すうちに、第１の電解室で生成した電解水の濃度が高くなる。従って、前記電解水がアルカリ性の場合、前記電解質水溶液は強アルカリ性となり、該電解水が酸性の場合、前記電解質水溶液は強酸性となる。
【００１２】
しかし、本発明の電解水の生成方法によれば、第１の電解室に循環される前記電解質水溶液の濃度を所定の範囲に維持するので、循環を繰り返しても、前記電解質水溶液が強アルカリ性または強酸性となることを防止することができる。従って、強アルカリ性または強酸性となった前記電解質水溶液を処理する必要が無く、一般家庭等においても、容易に取り扱うことができる。
【００１３】
本発明の電解水の生成方法において、例えば、前記隔膜は陰イオン交換膜であり、陰極側電解室に電解質水溶液を循環させると共に、陽極側電解室のみに原水を供給し、前記陽極側電解室で生成した酸性の電解水のみを取り出す。
【００１４】
このようにするときには、前記陰極側電解室では、前記電解質水溶液を循環されるのみであって、新たな原水の供給が無い。従って、前記陰極側電解室やその配管系ではスケールの析出が無く、スケールの定期的除去や、スケールの析出を防ぐための制御が不要になる。
【００１５】
また、前記陰極側電解室に電解質水溶液を循環させる場合、該電解質水溶液は塩化ナトリウム水溶液または塩化カリウム水溶液であり、該塩化ナトリウム水溶液または塩化カリウム水溶液に塩酸を添加することにより、該塩化ナトリウム水溶液または塩化カリウム水溶液の濃度を所定の範囲に維持することができる。
【００１６】
このような手法により、陰極側電解室から前記陰イオン交換膜を介して前記陽極側電解室に陰イオン（塩素イオン）が移動するので、該陽極側電解室に供給される原水に電解質を添加することなく電解を行うことができる。また、前記陰極側電解室で塩化ナトリウムの電離により生成するナトリウムイオンは前記陰イオン交換膜に阻止されて、前記陽極側電解室に移動することができないので、該陽極側電解室には、実質的に前記原水に含まれている以上の塩化ナトリウムまたは塩化カリウムを含まない酸性の電解水を得ることができる。従って、前記酸性の電解水を使用したときに、金属の腐食が抑制される。
【００１７】
一方、前記のようにするときには、前記陰極側電解室ではアルカリ性の電解水が生成するので、前記塩化ナトリウム水溶液または前記塩化カリウム水溶液は次第にアルカリ性が強くなる。また、前記陰極側電解室では、塩化ナトリウムまたは塩化カリウムの電離により生成する塩素イオンが前記陰イオン交換膜を透過し、前記陽極側電解室に移動して失われる。そこで、前記塩化ナトリウム水溶液または前記塩化カリウム水溶液に塩酸を添加することにより、該塩化ナトリウム水溶液または前記塩化カリウム水溶液の濃度を容易に所定の範囲に維持することができる。
【００１８】
前記塩化ナトリウム水溶液または前記塩化カリウム水溶液の濃度を所定の範囲に維持するには、例えば、該塩化ナトリウム水溶液または前記塩化カリウム水溶液のｐＨを測定し、得られた測定値が所定の基準値よりも大きいときには、該塩化ナトリウム水溶液または前記塩化カリウム水溶液に塩酸を添加して該塩化ナトリウム水溶液または前記塩化カリウム水溶液のｐＨが該基準値より小さくなるようにすることにより行うことができる。また、前記塩化ナトリウム水溶液または前記塩化カリウム水溶液の濃度を所定の範囲に維持するには、前記電解の際の通電量から該塩化ナトリウム水溶液または前記塩化カリウム水溶液の反応量を算出し、算出された反応量に応じて該塩化ナトリウム水溶液または前記塩化カリウム水溶液に塩酸を添加することにより行うこともできる。
【００１９】
また、本発明の電解水の生成方法において、例えば、前記隔膜は陰イオン交換膜であり、陽極側電解室に電解質水溶液を循環させると共に、陰極側電解室のみに原水を供給し、前記陰極側電解室で生成したアルカリ性の電解水のみを取り出すようにしてもよい。
【００２０】
このとき、前記原水中の陰イオンは前記陰極側電解室から陽極側電解室に移動し、生成されるアルカリ性の電解水は、水酸イオンを除き、ほとんど陰イオン（Ｃｌ−、ＮＯ３−等）を含まないものとなる。ただし、この場合、前記陰極側電解室内の電気伝導度は低下し、電解効率が少し低下することになる。
【００２１】
また、本発明の電解水の生成方法において、例えば、前記隔膜は陽イオン交換膜であり、陽極側電解室に電解質水溶液を循環させると共に、陰極側電解室のみに原水を供給し、前記陰極側電解室で生成したアルカリ性の電解水のみを取り出すようにすることもできる。
【００２２】
このようにするときには、前記陽極側電解室で生成した陽イオンが、前記陽イオン交換膜を透過して、前記陰極側電解室に移動することができるので、前記両電極間の導電度を容易に確保でき、少ない電力で容易にアルカリ性の電解水を得ることができる。
【００２３】
このとき、生成されるアルカリ性の電解水は、前記陽極側電解室から前記陰極側電解室へ陽イオンが移動するため、ミネラルに富んだものになる。この場合、前記陽極側電解室に循環される電解質水溶液の濃度を一定に保つため、アルカリ性溶液を添加して中和する。
【００２４】
本発明の電解水の生成方法は、例えば、イオン透過性の隔膜を介して対向配置された１対の電解室と、第１の電解室に電解質水溶液を循環させる電解質水溶液循環手段と、第２の電解室のみに原水を供給する原水供給手段と、該隔膜を挟んで各電解室に設けられた１対の電極と、両電極に電圧を印加して該原水及び電解質水溶液を電解することにより、第２の電解室で生成した電解水を取り出す電解水取出手段とを備える電解水生成装置において、前記電解質水溶液循環手段は、第２の電解室に循環される該電解質水溶液の濃度を所定の範囲に維持する濃度維持手段を備える電解水生成装置により実施することができる。
【００２５】
前記電解水生成装置として、例えば、前記隔膜は陰イオン交換膜であり、陰極側電解室に電解質水溶液を循環させる前記電解質水溶液循環手段と、陽極側電解室のみに原水を供給する原水供給手段と、該陽極側電解室で生成した酸性の電解水を取り出す電解水取出手段とを備えるものを用いることができる。
【発明を実施するための最良の形態】
【００２６】
次に、添付の図面を参照しながら本発明の実施の形態についてさらに詳しく説明する。図１は本実施形態の電解水の生成方法に用いる電解水生成装置を示す模式図である。
【００２７】
図１に示すように、本実施形態の電解水生成装置１は、イオン透過性の隔膜２を介して対向配置された１対の電解室３ａ，３ｂを備える電解槽４と、電解室３ａに電解質水溶液を循環させる電解質水溶液循環系５と、電解室３ｂのみに原水を供給する原水供給系６とを備えている。１対の電解室３ａ，３ｂには、１対の電極７ａ，７ｂが配設されており、電極７ａ，７ｂはそれぞれ導線８ａ，８ｂを介して図示しない電源装置に接続されている。また、電解室３ｂには、両電極７ａ，７ｂに電圧を印加して、原水及び電解質水溶液を電解することにより電解室３ｂ内で生成した電解水を取り出す電解水取出導管９が設けられている。
【００２８】
電解質水溶液循環系５は、電解質水溶液タンク１０と、電解質水溶液タンク１０に貯留されている電解質水溶液を電解質水溶液タンク１０から取り出して電解室３ａの底部に供給する電解質水溶液供給導管１１と、電解室３ａ内の電解質水溶液を電解室３ａの上部から取り出して電解質水溶液タンク１０の上部に還流する電解質水溶液還流導管１２とを備えている。電解質水溶液供給導管１１は、途中にポンプ１３が介装されていると共に、ポンプ１３の下流側に流量センサ１４ａを備え、さらに流量調整弁１５ａを介して電解室３ａの底部に接続されている。
【００２９】
電解質水溶液タンク１０には、電解室３ａに循環される電解質水溶液の濃度を所定の範囲に維持するための濃度調整剤を供給する濃度調整剤タンク１６が、濃度調整剤導管１７を介して接続されている。濃度調整剤導管１７の途中には、ポンプ１８が介装されており、濃度調整剤タンク１６内に貯留されている濃度調整剤を電解室３ａに供給することにより、前記電解質水溶液の濃度を所定の範囲に維持するようになっている。
【００３０】
尚、タンク１０，１６は、それぞれの上部にエア抜き弁１９，２０を備えている。
【００３１】
原水供給系６は、図示しない水道栓等の原水供給源から供給される原水を電解室３ｂの底部に供給する原水供給導管２１を備え、原水供給導管２１の途中には上流側から順に減圧弁２２、シャット弁２３、流量センサ１４ｂが備えられている。そして、原水供給導管２１は、さらに流量調整弁１５ｂを介して電解室３ｂの底部に接続されている。また、電解水取出導管９は、電解室３ｂの上部に接続されている。
【００３２】
尚、本実施形態では、濃度調整剤導管１７の途中にポンプ１８を設けるようにしているが、ポンプ１８に代えて開閉弁を設けるようにしてもよい。この場合、タンク１０，１６の位置関係は、タンク１６がタンク１０の上部に設置される必要がある。
【００３３】
本実施形態の第１の態様において、隔膜２は陰イオン交換膜であり、電解室３ａに配設された電極７ａは陰極とされ、電解室３ｂに配設された電極７ｂは陽極とされる。この結果、電解室３ａが陰極側電解室、電解室３ｂが陽極側電解室となる。
【００３４】
このとき、例えば、電解質水溶液循環系５により前記電解質水溶液として塩化ナトリウム水溶液を電解室３ａに循環させる一方、原水供給導管２１により原水として水道水を電解室３ｂに供給する。そして、図示しない電源装置により、電極７ａ，７ｂ間に所定の電圧を印加することにより、前記塩化ナトリウム水溶液及び水道水の電解を行う。
【００３５】
このようにすると、陰極側電解室３ａでは、次式に示すように塩化ナトリウムの電離によりナトリウムイオン（Ｎａ＋）と塩素イオン（Ｃｌ−）とが生成する一方、水の電解により水素（Ｈ２）と水酸イオン（ＯＨ−）とが生成し、アルカリ性の電解水が得られる。
【００３６】
ＮａＣｌ  →  Ｎａ＋  ＋  Ｃｌ−
２Ｈ２Ｏ  ＋  ２ｅ−  →  Ｈ２  ＋  ２ＯＨ−
電解室３ａ，３ｂの間には陰イオン交換膜が隔膜２として配設されているので、前記ナトリウムイオンは前記陰イオン交換膜に阻止されて陽極側電解室３ｂに移動することができず、塩素イオンのみが陽極側電解室３ｂに移動する。この結果、陽極側電解室３ｂでは、次式に示すように、塩素イオンから生成した塩素（Ｃｌ２）がさらに水と反応して次亜塩素酸（ＨＣｌＯ）を生成する一方、水の電解により酸素（Ｏ２）と水素イオン（Ｈ＋）とが生成し、酸性の電解水が得られる。
【００３７】
２Ｃｌ−  →  Ｃｌ２  ＋  ２ｅ−
Ｃｌ２  ＋  ２Ｈ２Ｏ  →  ２ＨＣｌＯ  ＋  ２Ｈ＋
Ｈ２Ｏ  →  １／２Ｏ２  ＋  ２Ｈ＋  ＋  ２ｅ−
従って、電解水取出導管９により、陽極側電解室３ｂの上部から、次亜塩素酸を含む酸性の電解水を取り出すことができる。このとき、前述のようにナトリウムイオンは陽極側電解室３ｂに移動することができないので、前記酸性の電解水は実質的に塩化ナトリウムを含んでおらず、金属の腐食促進を防止することができる。また、陰極側電解室３ａでは、前記塩化ナトリウム水溶液が電解質水溶液循環系５により循環されているので、生成したアルカリ性の電解水は該塩化ナトリウム水溶液に流入して循環されることとなり、捨て水となることがない。
【００３８】
しかし、前記塩化ナトリウム水溶液を前述のように循環させていると、経時的に水酸イオン濃度が上昇し、該塩化ナトリウム水溶液が強アルカリ性を呈するようになる。そこで、本態様では、濃度調整剤タンク１６に塩酸を貯留しておき、前記塩化ナトリウム水溶液に該塩酸を添加することにより、該塩化ナトリウム水溶液の濃度が所定の範囲に維持されると共に、ｐＨが所定の領域に維持されるようにする。前記塩酸の濃度は、２モル／ｌ以下、例えば１モル／ｌとされる。
【００３９】
前記塩酸の添加は、例えば、電解質水溶液循環系５にｐＨセンサを配設しておき、該ｐＨセンサにより前記塩化ナトリウム水溶液のｐＨを測定し、得られた測定値が所定の基準値よりも大きいときには、該塩化ナトリウム水溶液に塩酸を添加して該塩化ナトリウム水溶液のｐＨが該基準値より小さくなるようにする。具体的には、例えば、前記ｐＨセンサにより測定された前記塩化ナトリウム水溶液のｐＨが９より大になったときに、ポンプ１８を作動させて、濃度調整剤タンク１６内の塩酸を電解質水溶液タンク１０に添加し、前記塩化ナトリウム水溶液のｐＨが５より小になったならばポンプ１８を停止させる、というように行う。このようにすることにより、前記塩化ナトリウム水溶液の濃度を所定の範囲に維持することができると共に、該塩化ナトリウム水溶液のｐＨを５〜９のほぼ中性の領域に維持することができる。
【００４０】
あるいは、前記ｐＨセンサに代えて、例えば、前記図示しない電源装置に通電量検出器を設け、該通電量検出器により検出される前記電解の際の通電量から前記塩化ナトリウム水溶液の反応量を算出し、算出された反応量に応じて、濃度調整剤タンク１６内の塩酸を電解質水溶液タンク１０に添加するようにしてもよい。
【００４１】
次に、本実施形態の第２の態様において、隔膜２は陰イオン交換膜であり、電解室３ａに配設された電極７ａは陽極とされ、電解室３ｂに配設された電極７ｂは陰極とされる。この結果、電解室３ａが陽極側電解室、電解室３ｂが陰極側電解室となる。
【００４２】
このとき、例えば、電解質水溶液循環系５により前記電解質水溶液として塩を含んだ水溶液を電解室３ａに循環させる一方、原水供給導管２１により原水として水道水を電解室３ｂに供給する。そして、図示しない電源装置により、電極７ａ，７ｂ間に所定の電圧を印加することにより、前記アルカリ性水溶液及び水道水の電解を行う。
【００４３】
このようにすると、陰極側電解室３ｂでは、弱アルカリ性の電解水が得られ、該電解水が電解水取出導管９により取出される。一方、陽極側電解室３ａでは、弱酸性の電解水が生成するので、前記塩を含んだ水溶液のｐＨは経時的に低下するが、濃度調整剤タンク１６内の濃度調整剤を電解質水溶液タンク１０に添加することなく、比較的長時間に渡って運転を続けることができる。
【００４４】
本態様では、隔膜２を陽イオン交換膜としてもよい。この場合には、陽極側電解室３ａで生成した陽イオンが隔膜２を透過して陰極側電解室３ｂに移動できるので、電極７ａ，７ｂ間の導電度を容易に確保でき、少ない電力で容易にアルカリ性の電解水を得ることができる。
【００４５】
尚、隔膜２が陽イオン交換膜である場合には、陽極側電解室３ａに循環される塩を含んだ水溶液のｐＨが経時的に低下しやすい。従って、濃度調整剤タンク１６に濃度調整剤としてアルカリ性水溶液を貯留しておき、該アルカリ性水溶液内の電解質水溶液タンク１０に添加することが必要になる。この結果、陽極側電解室３ａに循環されるアルカリ性水溶液のｐＨをほぼ中性の領域、例えばｐＨ５〜９の領域に維持することができる。
【００４６】
次に、本発明の実施例を示す。
【実施例】
【００４７】
本実施例では、図１に示す電解水生成装置１において、隔膜２に陰イオン交換膜を用いると共に、電解室３ａに配設された電極７ａを陰極とし、電解室３ｂに配設された電極７ｂを陽極とした。また、電解質水溶液循環系５により０．１モル／Ｌの塩化ナトリウム水溶液を１Ｌ／分の流量で電解室３ａに循環させる一方、原水供給導管２１により原水として水道水を１Ｌ／分の流量で電解室３ｂに供給した。そして、図示しない電源装置により、電極７ａ，７ｂ間に電圧を印加し、１０Ａの定電流電解を行った。
【００４８】
また、電解質水溶液循環系５により電解室３ａに循環される前記塩化ナトリウム水溶液のｐＨをｐＨセンサにより測定した。そして、前記塩化ナトリウム水溶液のｐＨが９より大になったならばポンプ１８を作動させて、１モル／Ｌの塩酸を濃度調整剤タンク１６から電解質水溶液タンク１０に添加し、該塩化ナトリウム水溶液のｐＨが５より小になったならばポンプ１８を停止させる動作を繰り返した。このときの電圧は、１２〜１３Ｖであった。
【００４９】
この結果、電解水取出導管９により、陽極側電解室３ｂから、ｐＨ３．０、有効塩素濃度２８ｐｐｍの酸性の電解水が得られた。
【００５０】
次に、本実施例で得られた前記酸性の電解水と、蒸留水とを試験液とし、該試験液中の生菌数の経時変化を測定した。生菌としては、大腸菌と黄色ブドウ球菌とを用いた。結果を表１に示す。尚、表１中、前記酸性の電解水を実施例、蒸留水を比較例と記載する。
【００５１】
【表１】
2008049317.tif 000003
【００５２】
表１から、本実施例で得られた酸性の電解水は、優れた殺菌性能を備えていることが明らかである。
【００５３】
尚、前記実施例では、電解質水溶液循環系５に循環される塩化ナトリウム水溶液の初期濃度を０．１モル／Ｌとしているが、さらに低い塩濃度または高い塩濃度とすることも可能である。例えば、電解質水溶液循環系５に循環される塩化ナトリウム水溶液の初期濃度を０．０２モル／Ｌとし、１０Ａの定電流電解を行ったところ、電圧は１３〜１５Ｖであった。
【００５４】
また、前記実施例では、電解質水溶液循環系５に塩化ナトリウム水溶液を循環させるようにしているが、塩化ナトリウム水溶液に代えて塩化カリウム水溶液を用いるようにしてもよい。
【図面の簡単な説明】
【００５５】
【図１】本発明の電解水生成装置の一構成例を示す模式図。
【符号の説明】
【００５６】
１…電解水生成装置、  ２…隔膜、  ３ａ…第１の電解室、  ３ｂ…第２の電解室、  ５…電解質水溶液循環手段、  ６…原水供給手段、  ７ａ，７ｂ…電極、  ９…電解水取出手段、  １６，１７，１８…濃度維持手段。
【図１】
2008049317.tif 000004